(57)【要約】【課題】複数のラベルの表示が可能な情報記録媒体及びその収納ケースを提供する。【解決手段】多層情報記録媒体の情報層を選択的に選ぶことで表示されるラベルを切替え、複数のラベル表示を行う。媒体は、電圧もしくは電流を受電する機能を有し、情報層が選択的に受電することで、ラベルの切替えを行う。【選択図】図３
2007328872.tif 000002
【特許請求の範囲】
【請求項１】
エネルギー照射により情報の記録を行う情報記録領域及び視認可能なラベル情報が記録される複数のラベル領域と、前記複数のラベル領域にそれぞれ接続された複数の電極端子とを有し、前記電極端子から前記ラベル領域に給電すると当該ラベル領域に書き込まれたラベルが視認可能に表示される情報記録媒体を収納する収納ケースであって、
前記情報記録媒体を収納する収納部と、前記収納部に収納された情報記録媒体の前記電極端子に接触する位置に配置された給電端子と、前記給電端子を選択する選択手段と、選択された前記給電端子に給電する電源と
を有することを特徴とする収納ケース。
【請求項２】
請求項１記載の収納ケースにおいて、前記情報記録媒体は複数の記録層を有する多層媒体であり、前記複数のラベル領域はそれぞれ１つの記録層に対応していることを特徴とする収納ケース。
【請求項３】
請求項１記載の収納ケースにおいて、前記電源は太陽電池と蓄電池からなることを特徴とする収納ケース。
【請求項４】
請求項１記載の収納ケースにおいて、前記選択手段は、同時に複数の給電端子を選択するモードを有することを特徴とする収納ケース。
【請求項５】
請求項１記載の収納ケースにおいて、リモコン信号を受信する受信部を有し、前記選択手段は、前記受信部によって受信したリモコン信号に基づいて前記給電端子を選択することを特徴とする収納ケース。
【請求項６】
請求項１記載の収納ケースにおいて、前記収納部を開閉自在に覆う蓋部材を有し、前記蓋部材は前記収納部に収納された情報記録媒体の少なくとも一部を可視できる窓部を有することを特徴とする収納ケース。
【請求項７】
請求項１記載の収納ケースにおいて、前記収納部を開閉自在に覆う蓋部材を有し、前記蓋部材に、ラベル情報を記録し前記選択手段を介して給電されたとき前記ラベル情報を可視表示するラベル層が設けられていることを特徴とする収納ケース。
【請求項８】
請求項７記載の収納ケースにおいて、前記ラベル層は電子ペーパーであることを特徴とする収納ケース。
【請求項９】
エネルギー照射により情報の記録を行う情報記録領域及び視認可能なラベル情報が記録される複数のラベル領域と、前記複数のラベル領域にそれぞれ接続された複数の電極端子とを有し、前記電極端子から前記ラベル領域に給電すると当該ラベル領域に書き込まれたラベルが視認可能に表示される情報記録媒体と、
前記情報記録媒体を収納する収納部と、前記収納部に収納された情報記録媒体の前記電極端子に接触する位置に配置された給電端子と、前記給電端子を選択する選択手段と、選択された前記給電端子に給電する電源とを有する収納ケースと
からなる情報記録媒体収納システム。
【請求項１０】
請求項９記載の情報記録媒体収納システムにおいて、前記情報記録媒体は複数の記録層を有する多層媒体であり、前記複数のラベル領域はそれぞれ１つの記録層に対応していることを特徴とする情報記録媒体収納システム。
【請求項１１】
請求項１０記載の情報記録媒体収納システムにおいて、前記記録層は一対の透明電極で挟まれたエレクトロクロミック層を備えることを特徴とする情報記録媒体収納システム。
【請求項１２】
請求項１１記載の情報記録媒体収納システムにおいて、前記複数のラベル領域はそれぞれ表示色の異なる複数の記録層を含み、前記選択手段は、前記表示色の異なる複数の記録層に対応する複数の給電端子を同時に選択するモードを有することを特徴とする情報記録媒体収納システム。
【請求項１３】
請求項９記載の情報記録媒体収納システムにおいて、前記電源は太陽電池と蓄電池からなることを特徴とする情報記録媒体収納システム。
【請求項１４】
請求項９記載の情報記録媒体収納システムにおいて、リモコン信号を受信する受信部を有し、前記選択手段は、前記受信部によって受信したリモコン信号に基づいて前記給電端子を選択することを特徴とする情報記録媒体収納システム。
【請求項１５】
請求項９記載の情報記録媒体収納システムにおいて、前記収納部を開閉自在に覆う蓋部材を有し、前記蓋部材は前記収納部に収納された情報記録媒体の少なくとも一部を可視できる窓部を有することを特徴とする情報記録媒体収納システム。
【請求項１６】
請求項９記載の情報記録媒体収納システムにおいて、前記収納部を開閉自在に覆う蓋部材を有し、前記蓋部材に、ラベル情報を記録し前記選択手段を介して給電されたとき前記ラベル情報を可視表示するラベル層が設けられていることを特徴とする情報記録媒体収納システム。
【請求項１７】
請求項１６記載の情報記録媒体収納システムにおいて、前記ラベル層は電子ペーパーであることを特徴とする情報記録媒体収納システム。
【発明の詳細な説明】
【技術分野】
【０００１】
本発明は、エネルギー照射により記録を行う多層情報媒体において、光を用いて情報を記録、再生する情報記録媒体に、視認可能な文字及び／又は図を複数表示させるラベルに関し、その収納ケース及び収納システムに関する。
【背景技術】
【０００２】
従来、光を用いて情報を記録、再生する情報記録媒体としてはＣＤ−Ｒ、ＣＤ−ＲＷ、ＤＶＤ−ＲＷ，ＤＶＤ＋ＲＷ、ＤＶＤ−ＲＡＭ、Blu-ray Discなどがある。ユーザーは記録した内容がわかるように、ラベル面に写真やタイトル、ファイル名、日付などをプリンタで印刷する、あるいはペンなどで書く、又はシールに印刷して貼り付けるなどを行っている。ラベル印刷ができるプリンタとしては、ラベルだけをプリントする専用プリンタや、オプションの道具を用いて汎用プリンタで印刷できるようにしたものがある。専用プリンタで、情報記録媒体だけでなく収納ケースにもラベル印刷する方法についても提案されている。
【０００３】
また、読出用あるいは記録用のレーザ光を用いるラベル形成方法もある。レーザ光を吸収する層をラベル面に予め形成しておき、レーザ光を任意に照射することでラベルを形成する。読み出し面あるいは記録面とは反対側にラベル面があるため、ラベル形成にはディスクを裏返しにして挿入するか、もしくは両側にレーザ光を配置している。この場合、読み出し及び記録用の装置と同じ装置でラベル形成を行うことができる。
【０００４】
また、上記以外の情報記録媒体としては電圧選択式の多層情報記録媒体もある。エレクトロクロミック材料を用いた記録層を多層にした構造である。前記記録層を一対の電極で挟んで電圧を印加し、電圧印加によって記録層自身の吸収スペクトルを変化させて光吸収するようにし、選択的に記録層を着色させて情報を記録する情報記録媒体である。
【０００５】
【特許文献１】特開２００５−２３５３５９号公報
【特許文献２】特開２００５−３５００９３号公報
【特許文献３】特開２００５−３１７１８７号公報
【特許文献４】特開２００３−１６６４９号公報
【特許文献５】特開２００３−３４６３７８号公報
【発明の開示】
【発明が解決しようとする課題】
【０００６】
情報記録媒体は、読み出し及び記録を行うデータ面とラベル面を持つ。ラベル形成にはラベル面を使用するが、プリンタでの印刷には専用のプリンタ及び／又は専用のラベル層が形成された情報記録媒体を用意しなければならない上、情報記録媒体の入れ替えなどに手間がかかる。専用のプリンタは場所を取り邪魔であり、専用のラベル層を持つ情報記録媒体は割り増し価格となっている。また、データ面と従来の情報記録媒体においてのラベル面は１層のみであり、消したり表示したりの切り替えはできない。収納ケースへのラベル印刷についても同様である。
【０００７】
本発明は、選択的かつ簡単に複数のラベルの表示が可能な多層情報媒体及びその収納ケース（ジャケット）を提供することを目的とする。
【課題を解決するための手段】
【０００８】
多層情報記録媒体の情報層を選択することで表示されるラベルを切替え、複数のラベル表示を行う。媒体は、電圧もしくは電流を受電する機能を有し、情報層が選択的に受電することで、ラベルの切替えを行う。ラベル表示する層は１層でも良いし、複数層でも良い。１層とした場合は単色又は２色のラベル表示であるが、複数層を選択した場合は各層の色合いを異なるものにすることでより高い諧調、多色のラベル表示が可能となる。
【０００９】
多層情報記録媒体を収納する収納ケースに給電手段を設け、多層情報記録媒体の所望の層へ電圧もしくは電流を供給してラベル表示する。収納ケース自体に信号入力に応じてラベル表示を切り替える機能を設けることで、任意のラベルを表示させてもよい。収納ケースの一部に開口部を設けると、収納ケースに収納されている媒体に表示されたラベルを可視できる。
【００１０】
ラベルの記録は、予めラベル用の画像をパソコンなどで形成しておき、通常の情報を記録するドライブを用いて行うことができる。ドライブは、画像データ内の各画素位置を一般的にパソコンで用いられるｘｙ座標系ではなく、各半径ｒ、角度θの極座標にて認識する。そのため、選択したラベル層にラベルを作製する際には、ｘｙ座標で表された画素位置を極座標に変換しなくてはならない。この変換はパソコン、もしくはドライブ内に設けた計算回路で行う。
【００１１】
画像データはパソコン上では、ＲＧＢ（赤青緑）の３色の輝度の重ね合わせで表示されている。そこで、各座標点でのＲＧＢ値をそれぞれ取り出し、それぞれにラベル層を対応させた。例えばラベル層を３層とした場合は、ＲＧＢ各色に１層ずつラベル層を対応させた。ラベル層を形成する、着色するエレクトロクロミック層に輝度に対応するレーザパワーで記録を行うことにより、電圧印加時にラベル表示が可能なエレクトロクロミック層を作製できる。大きなレーザパワーで記録を行った箇所は、電圧印加時には色が付かず、ＲＧＢ値で表すと０に近くなる。
【００１２】
例えば、青を強く出したいときは、青色変化するエレクトロクロミック層のみに小さいレーザパワーで記録する。残りの赤と緑層は大きいレーザパワーで記録する。一方で、白を表示したいときは、全てのエレクトロクロミック層を大きいレーザパワーで記録する。黒を表示したい箇所は、記録を行わなければ良い。このとき、電圧印加時に各層が着色し、ラベルは黒色に見える。
【発明の効果】
【００１３】
本発明によると、インパクトのあるラベルを表示することができる。
【発明を実施するための最良の形態】
【００１４】
以下、図面を参照して本発明の実施の形態を説明する。
【実施例１】
【００１５】
本発明のラベルが切り替わる多層情報記録媒体及び収納ケースの構成例は以下のとおりである。
【００１６】
作製した多層情報記録媒体における透明電極を選択する領域について、配置例を示す平面図を図１に示す。内周側の領域に形成した透明電極の一部は各層毎にそれぞれが電気的に分断された形とした。透明電極の製膜時に、内周においては一部のみが製膜されるマスクを用い、透明電極毎にマスクを周方向へずらして製膜することで透明電極の一部を図のように配置した。図１中の（ａ）、（ｂ）の線での断面構造を図２に示した。基板１１上に、第１の透明電極層（ＩＴＯ）１２、第１の還元型エレクトロクロミック層（ＷＯ3）１３、第１の固体電解質層（Ｔａ2Ｏ5）１４、第１の酸化型エレクトロクロミック層（ＩｒＯｘ）１５、第２の透明電極層（ＩＴＯ）１６の順で製膜した透明電極に挟まれた構造を、光学的あるいは熱的に必要が有ればスペーサ層を挟んで、繰り返し２組以上積層した構造である。ここでは一例として、合計１０組とした場合、そのうち３組をラベル表示用として使用し、７組を情報記録用として用いている。
【００１７】
図３に、多層記録膜媒体に設けた３枚のラベル表示の切替え例を示す。一対の透明電極に挟まれた層がラベルとして機能する。ラベルに対応している透明電極を選択することで任意のラベル切り替えが行える。
【００１８】
上記媒体を収納した収納ケースの例を図４に示す。収納ケース４２内には、ディスク４１を収納できる浅い窪み状の収納部４０が設けられ、ラベルを選択するための選択手段４３が付属している。媒体４１と収納ケース４２には位置決めのためのマーク４４が設けられている。媒体４１は、媒体４１のマークが収納ケースに設けられたマークに一致するようにして、収納ケースに格納される。また、収納ケースは、収納部４０を開閉自在に覆う蓋４５が設けられている。
【００１９】
図５に、表示させるラベルを切り替える方法の例を示す。図５（ａ）に示すように、ラベルボタン５１を押すと、対応する多層情報記録媒体の電極１組に通電し、その層に予め記録されたラベル５２が表示される。図５（ｂ）に示すように、別のラベルボタン５３を押すと、別の電極に通電し、同様にその層に記録されたラベル５４が表示される。図５（ｃ）に示すように、ラベルボタン５５を押すと別の電極に通電し、同様に別のラベル５６が表示される。
【００２０】
ラベル選択手段であるボタンとディスク内周部の電極部分の配置例を図６に示す。ディスク内周部の透明電極に接続される端子の位置に対応した給電端子６１を収納ケース側に設け、ディスクの透明電極領域と収納ケースの給電端子が接するように設置した。図７は、ボタンと給電端子６１の配線図である。図７に示した収納ケース側の給電端子は、ディスク透明電極の段差に対応するように、厚み方向にフレキシブルに変化するやわらかい材質のものを用いた。例えばゼブラコネクタであり、その構成はやわらかい材質のシートと導電性の材料が交互に形成されている。給電端子６１の厚みは図７（ｂ）、図７（ｃ）の断面模式図に示すように変化するが、厚みが変化しても通電可能である。さらに図７に示すように、収納ケース内には電池等の電圧供給源７３と電圧供給源から受けた電圧を各配線へと振り分け選択する機能を持つ電圧供給手段７２、及びラベル選択手段４３と給電端子６１とを結ぶ配線７１を設けた。
【００２１】
電圧供給源として小型電池を用いた。ボタン状の小型電池であるリチウム電池やアルカリ電池は、起電力は１．５Ｖ〜３．０Ｖとラベル表示に十分な電圧供給量を持つ。小型、薄型の特徴を活かし、様々な形態の収納ケースを作製することができる。また、仕様環境下の明るさに左右されず安定した電力を供給できる。今回、直径１０ｍｍ、高さ２．５ｍｍ、質量０．７ｇの小型コイン状リチウム電池を用いた。電圧は３Ｖ、公称容量は３０ｍＡｈである。
【００２２】
また、図８（ａ）に示すように、電圧供給源として小型電池７３をディスク４１に付属させてもよい。この場合は形状的に小さいものが好ましい。小型電池を内蔵しても良いし、ディスク４１内に電池構造を作りこんでも良い。太陽電池のＳｉセルは半導体プロセスにより作製されるので、光ディスクの作製プロセスと親和性が高い。図８（ｂ）に、電圧供給源をディスクに付属させた場合のディスク断面図と収納ケース側の断面図を示す。ディスク内周部に電圧供給源７３を設置した。ディスクを収納ケースにセットすることで電圧供給でき、ディスク透明電極と収納ケースの給電端子とが接する。電圧受電部７６は、電圧供給源７３あるいはそれに接続された端子と確実に接するように板バネとし高さ方向にフレキシブルに対応できるとなお良い。
【００２３】
ディスク内部の透明電極と収納ケース側の給電端子については接触していなくてもよく、通電すればよい。
【００２４】
ＷＯ3に代わる還元型エレクトロクロミック材料としては鉄のシアン化物であるプルシャンブルー（ＫxＦｅIIyＦｅIIIz（ＣＮ）6），ＭｏＯ3，Ｎｂ2Ｏ5，Ｖ2Ｏ5，ＴｉＯ2，ＮｉＯＯＨ，ＣｏＯＯＨ，Ｒｈ2Ｏ3，ＩｒＯx（ｘは１未満の正の数），ＺｒＮＣｌ，ＩｎＮ，ＳｎＮx（ｘは１未満の正の数），ＭｎＯx（ｘは２未満の正の数），ＷＯ3−ＭｏＯ3複合（混合）薄膜なども使用可能である。これらにＡｕ，Ａｇ，Ｃｕなどを添加したものも用いることが出来る。これらの材料は保護層としても用いることもがきる。ＩｒＳｎＯｘに代わる酸化型エレクトロクロミック材料としては、ＮｉＯＯＨ，ＣｏＯＯＨ，タングステンシュウ酸錯体、有機物では、ヘプチルビオロゲンがある。
【００２５】
固体電解質には、例えば、透明又は半透明電極の間に下記の積層膜のうちのいずれかを挟んだ構造とする。ＷＯ3−Ｔａ2Ｏ5−ＩｒＯx，ＷＯ3−Ｃｒ2Ｏ3，ＷＯ3−ＭｇＦ2，ＷＯ3−ＲｂＡｇ4Ｉ5，ＷＯ3−ＳｉＯ，ＷＯ3−ＺｒＯ2，ＷＯ3−ＬｉＣｌＯ4，ＷＯ3−ＬｉＦ，ＷＯ3−Ｎａ3Ｚｒ2Ｓｉ2ＰＯ12（ＮＡＳＩＣＯＮ），ＷＯ3−ＮａＹＳｉ4Ｏ12などである。これらのＷＯ3の１部又は全部をＭＯ3など、上記の他の無機エレクトロクロミック材料で置き換えても良い。
【００２６】
エレクトロクロミック材料は、電圧によって吸収又は反射スペクトルが変化するものであれば、現在エレクトロクロミック材料と呼ばれていないものでも良い。単結晶でも小型のディスクや記録媒体は作ることができる。ただし、吸収の少ない方の状態では光吸収が１０％以下、より好ましくは５％以下のものを使うのが好ましい。エレクトロクロミック材料の代わりにエレクトロルミネッセント（ＥＬ）材料とフォトクロミック材料の混合材料を用いても良い。ＥＬ材料が発する光によって、フォトクロミック材料の色が変化し、記録あるいは読出し光の波長に対して光吸収が生じるようにする。ＥＬ材料としてはＺｎＯなどの無機材料を用いることができる。
【００２７】
透明電極の材料としては、（Ｉｎ2Ｏ3）x（ＳｎＯ2）1-xの組成で、ｘが５〜９９％の範囲の材料、抵抗値の面でより好ましくはｘが９０〜９８％の範囲の材料、これにモル％で５０％以下のＳｉＯ2を添加したもの、ＳｎＯ2にモル％で２〜５％のＳｂ2Ｏ3などの他の酸化物を添加したもの、などの既知の透明電極材料が使用可能である。
【００２８】
さらに、スペーサ層を２層以上の複数層としてもよいし、断熱効果のある層にするとさらに良い。断熱層は導電性があっても良いが、ない方がより好ましく、ＺｎＳ−ＳｉＯ2などを用いてもよい。
【００２９】
画像データは、各画素のｘｙ座標位置をパソコン上で逆極座標変換し、ディスクテスタでの書き込みデータを作成した。書き込みデータは、各ディスクの半径毎にディスク１周分の画素情報を含んでいる。ディスクラベル状の１画素の大きさは、レーザのスポットサイズに相当する。もちろん、１画素を複数のレーザスポットを用いて形成しても良い。レーザスポットの大きさと、ラベル領域の大きさで、必要となる画像データの仕様が確定する。今回、直径１２ｃｍのディスク基板中に、５０μｍのレーザスポットを用いてラベルを作製するため、画像データ１８００×１８００のｂｍｐファイルを使用した。このｂｍｐファイルから各画素のＲＧＢ値を示すｃｓｖファイルを作成し、逆極座標計算を行った。逆極座標変換後のファイルはｒθに該当する。このデータを元に書き込みデータを作成した。書き込みデータに従い、記録層に通電して層を選択した後、ラベル層を形成するエレクトロクロミック膜にレーザ照射を行い、ラベルを作製した。本実施例では波長６６０ｎｍ、ＮＡ０．６５を用いたが、波長４０５ｎｍ、ＮＡ０．８５を用いてもよい。また、ラベルとして認識できるようにするには記録した領域と記録していない領域とのコントラスト差が必要である。本実施例での記録した領域とそれ以外の領域では約２：１の光反射率のコントラスト比が得られた。
【００３０】
情報記録層として使用する場合の情報記録再生の動作を図９に示し説明する。まず、記録再生を行う際のモーター制御方法としては、記録再生を行うゾーン毎にディスクの回転数を変化させるＺＣＡＶ（Zoned Constant Linear Ve1ocity）方式を採用した。それぞれのデータは８ビットを１単位として、８−１６変調器８８に伝送される。情報記録媒体８１上に情報を記録する際には、情報８ビットを１６ビットに変換する変調方式、いわゆる８−１６変調方式を用い記録が行われた。この変調方式では媒体上に、８ビットの情報に対応させた３Ｔ〜１４Ｔのマーク長の情報の記録を行っている。図中の８−１６変調器８８はこの変調を行っている。なお、ここでＴとは情報記録時のクロックの周期を表している。ディスクは光スポットとの相対速度が１５ｍ／ｓの線速度となるよう回転させた。８−１６変調器８８により変換された３Ｔ〜１４Ｔのデジタル信号は記録波形発生回路８６に転送され、マルチパルス記録波形が生成される。
【００３１】
上記記録波形発生回路内において、３Ｔ〜１４Ｔの信号を時系列的に交互に「０」と「１」に対応させるようにしている。また、上記記録波形発生回路８６内は、マーク部を形成するための一連の高パワーパルス列を形成する際に、マーク部の前後のスペース部の長さに応じてマルチパルス波形の先頭パルス幅と最後尾のパルス幅を変化させる方式（適応型記録波形制御）に対応したマルチパルス波形テーブルを有しており、これによりマーク間に発生するマーク間熱干渉の影響を極力排除できるマルチパルス記録波形を発生している。記録波形発生回路８６により生成された記録波形は、レーザ駆動回路８７に転送され、レーザ駆動回路８７はこの記録波形をもとに、光ヘッド８３内の半導体レーザを発光させる。
【００３２】
ラベルとして使用する層以外の層は、情報が記録できる追記型、書き変え可能型やすでに情報が記録されているＲＯＭ型のどちらでも良いし、混在型でも良い。また、ラベル表示に使用する層と情報記録層とを層毎に分けずに、ラベル情報と記録情報を同一層内に混在させても良い。図１０に、記録情報領域９１とラベル領域９２が同一層内に混在している例を示す。半径方向、周方向、ランダム列配置などがあり、領域の大きさは任意とすることができる。図１０（ａ）は記録情報領域９１とラベル領域９２が半径方向に分離している媒体の例、図１０（ｃ）は記録情報領域９１とラベル領域９２が周方向に分離している媒体の例、図１０（ｂ）は記録情報領域９１とラベル領域９２がランダムに混在している媒体の例である。
【００３３】
以上により、エネルギー照射により記録を行う多層情報媒体において、媒体面に表示されるラベルを切り替えて、複数種類のラベルを表示することができる。
【実施例２】
【００３４】
実施例１に記載の電圧供給源とは別の電圧供給源を用いる例について説明する。図１１に、電圧供給源として、太陽電池（光電変換［ＰＶ］セル）７７を用いた場合の収納ケースへの配置例を示す。太陽電池を用いることにより、屋内外において収納ケース内の電池の取替が必要なく、ラベル表示が可能である。
【００３５】
一般のＰＶセルは、半導体の光起電力効果を利用している。光起電力効果は、光伝導効果とドリフト効果の二つの要素で生じる。半導体に光が照射されると、電子や正孔がバンド間遷移又はバンド−準位間遷移によって伝導帯と荷電子帯に励起され、これらの電子や正孔は自由キャリアとして振る舞うため、導電率が増加する。この状況下において内蔵電界が存在すると、ドリフト効果が生じて生成キャリアが分極し起電力が発生する。従って、光起電力効果においては、電子−正孔対を生成できるエネルギーを持つ光が入射することと、電子−正孔対が生成する地点が接合部付近であることが必要になる。
【００３６】
太陽電池に用いられるＳｉ（シリコン）の場合、電子−正孔対を形成するためのエネルギーは波長１μｍ以下の光の持つエネルギーに対応している。屋内で光源として用いられる蛍光灯の光は４５０ｎｍ〜６５０ｎｍの波長であり、屋内でも太陽電池から電圧を得ることが可能である。
【００３７】
図には太陽電池７７として、大きさ６２×８３ｍｍ、２Ｖ、２５０ｍＡのものを用いた例を示した。太陽電池の大きさが大きくなるほどシリコンセルの面積を増やすことができるため、電圧・電流ともに大きくすることができる。また、同サイズの太陽電池を複数用いて、直列・並列接続することにより、単独時より大きな電圧・電流を取り出すことができる。しかし、今回は光ディスクのサイズを考慮し、大きさ６２×８３ｍｍを用いた。２Ｖの電圧は出力開放時（負荷抵抗∞時）の定格電圧であり、電流２５０ｍＡは短絡時（負荷抵抗０Ω時）に流せる最大電流である。屋内の蛍光灯を用いたときの電圧は１．３Ｖであった。このときの輝度を照度計により測定したところ、６００ルクスであった。
【００３８】
太陽電池７７は、図１１（ａ）に示すように収納ケースの内側に配置してもよいし、図１１（ｂ）に示すように収納ケースの外側、例えば蓋４５の表面に配置してもよい。小さい太陽電池（光電変換［ＰＶ］セル）を用いた場合の配置は、図７と同様になる。
【００３９】
また、図１２に示すように電圧供給源として太陽電池７３ａとニカド電池に代表される蓄電池７３ｂを組み合わせても良い。太陽電池が光源下であれば起電力を発生するが、屋内外においてその光源の明るさが変化する場合がある。このとき、太陽電池の起電力が変化してしまうが、予め収納ケース内に蓄電池を搭載し、太陽電池で発生した起電力を蓄えておくことで、ラベル表示する際の起電力を一定に保つことができる。
【００４０】
本実施例において記載していない多層情報媒体、ラベル選択手段、ラベル領域、ラベル及び記録情報の記録方法などについては実施例１に記載の通りである。
【実施例３】
【００４１】
実施例１，２のラベル層として同時に３層を選び、多色ラベルを表示させる例を図１３に示す。本例では、ラベルボタン７４を押すと、３つのラベル層に同時に通電する配線とした。この場合の３層は、それぞれの層が違う色合いを表示するようにエレクトロクロミック材料を選び、各ラベル層の材料を変えて作製した。
【００４２】
ラベルＡの膜構造には、エレクトロクロミック層としてＷＯ3層を用いた。これにより、ラベルＡは通電した状態では青い色合いを示した。ラベルＢの膜構造には、エレクトロクロミック層としてＡｕ−Ｖ2Ｏ5層を用いた。これにより、ラベルＢは通電した状態では緑の色合いを示した。ラベルＣの膜構造には、エレクトロクロミック層として、Ｃｕ−Ｖ2Ｏ5層を用いた。これにより、ラベルＣは通電した状態では赤い色合いを示した。
【００４３】
ラベル層として使用する層が増えることで、ディスク全体に占めるラベル領域が増すことになるが、ラベル層が増えることで複雑な色合いを表示できるようになり、より美しいラベル表示が可能となった。さらに別のラベルとして、次の３層をラベル層として用いることもできるし、次のラベルは１層のラベル層としてもよく、組み合わせは自由にできる。
【００４４】
また、さらに色調を多段階にしてより複雑な色調をラベル画像とするためには、例えばラベル層を７層として７色を用いるように層を増やすことで、さらに美しいラベル表示が可能となる。
【実施例４】
【００４５】
実施例１、２、３に記載のラベル層の選択手段に光を用いた場合の例を図１４に示す。光を照射することでラベル層の選択をすることができる。外部から層選択するためのリモコン１２１を設け、光を受光する部位１２２に照射する構成とした。リモコン光源としては一般的な赤外線を用いた。リモコンのラベル選択手段４３でラベルａを選ぶとラベルａに対応した電極に通電され、ラベルａが表示される。同様にリモコンでラベルｂを選ぶとラベルｂに対応した電極に通電され、ラベルｂが表示され、ラベルｃを選ぶとラベルｃが表示される。
【００４６】
また、ラベル層として同時に３層を選ぶことも可能である。図１３のように３つのラベル層に同時に通電する配線すればよい。さらに別のラベルとして次の３層をラベル層として用いることもできるし、次のラベルは１層のラベル層としてもよく、組み合わせは自由にできる。
【００４７】
以上のようにラベルの切り替えを光スイッチで行うことができるため、収納ケース内に層選択のためのボタンを設置する必要がなく、シンプルな収納ケースの構成にすることができる。
【００４８】
収納ケースが閉じているときはラベルが表示されずに、収納ケースが開くとラベルが表示される構成にしてもよいし、図１５、図１６に示すように、収納ケースにディスクの一部又は全面が可視できる開口部及び／又は透明部を有する構成にしてもよい。一定の時間が経過すると電圧供給が切れるようにしてもよい。
【実施例５】
【００４９】
実施例１，２，３，４記載のラベル切り替え手段において、さらに、媒体と収納ケースの組み合わせを特定化するための方法について説明する。ディスクとそのディスク専用の収納ケースとし、そのディスクとその収納ケースの整合性が取れたときのみ、ラベルが表示される構造とすることができる。
【００５０】
本実施例では、例えばディスク内周部に形成した透明電極の位置と対応する収納ケースの給電端子の配置を他のディスクと変えておく。図１７（ａ）に実施例１の図２に示したディスク内周部に形成した透明電極の配置を示し、それと対比する形で、図１７（ｂ）、図１７（ｃ）に本実施例のディスクの電極配置例を示す。図１７（ａ）のように配置された透明電極の場合、第１の透明電極と第２の透明電極の位置は周方向に並んでいる。図１７（ｂ）のディスクの場合は、第１の透明電極と第２の透明電極のディスク中心からの半径位置が異なるため、図１７（ａ）のように電極が配置された収納ケースに収納しても、一方の電極位置がずれているため通電せず、ラベルが表示されない。また、図１７（ｃ）の場合は第１の透明電極と第２の透明電極が半径位置及び周方向で異なるため、同様にラベル表示がされない。図１７（ｃ）は電極となる層を表している。表面に露出していなければならないのは電極部のみである。図１７（ｃ）に示したように、電極層が露出するようにマスクをして下から順に積層してディスクを作製する。ディスク側の透明電極に接続された端子と収納ケース側の給電端子の位置を合わせておくことでのみラベル表示ができ、複数のラベルを切り替えることも可能になる。
【００５１】
本発明によりオリジナル性を重視した、コレクションタイプの情報記録媒体及び収納ケースが得られる。
【実施例６】
【００５２】
収納ケースの別の例について説明する。オリジナル性のある収納ケースとしては収納ケース側にも専用ラベルを配置するとよい。本実施例では収納ケースを図１８に示すような構成とした。収納ケース側のラベル１６１、収納ケースのラベル層の電極１６２、給電端子６１、電圧供給源７３と電圧を供給する手段７２、及びラベル選択手段４３とを結ぶ配線７１から成る。図１８には電圧供給源として小型電池を使用した場合の一例図を示し、図１９には太陽電池を使用した場合の一例図を示し、図２０には太陽電池と蓄電池を使用した場合の一例を示した。
【００５３】
収納ケースのラベル層には予めラベル情報を記録しておき、専用のディスクをセットし、電極を通して通電した場合のみ、収納ケース側のラベルが表示される構成である。この場合のラベル情報の記録はディスク状ではないので回転させて記録するのではなく、記録位置をＸＹ情報に変換して行う記録である。ラベル表示をディスクと収納ケースとの組み合わせにして両方を同時に表示させるとインパクトのあるラベルとなってよい。もちろんラベル表示を選択することで、収納ケースのラベルのみ、ディスクのラベルのみの表示としてもよい。収納ケース側に配置するラベル層はディスクと同じ構成でもよいし、電子ペーパーをラベルとして使用する組み合わせでもよい。電子ペーパーは画面表示に必要な電力が、ラベル表示の切り替え時のみにかかるため、消費電力が小さくてよい（参考：http://jp.fujitsu.com/group/labs/techinfo/techguide/list/paper.html）。ラベルの選択は電圧選択式のディスクと同様、二つの透明電極に挟まれた層の色が表示される。フルカラーのラベルとするためには赤色、青色、緑色の液晶層を同時に選択すればよい。また、ラベルの切り替え方法としては、図２１に示したように、予め記録したラベルの情報を例えば赤外線などの光を用いて、受光部位１２２へ信号を送ることで切り替えが可能である。
【図面の簡単な説明】
【００５４】
【図１】多層情報記録媒体の透明電極の配置を示す図。
【図２】多層情報記録媒体の一例を示す断面図。
【図３】ラベル表示の切り替えの説明図。
【図４】多層情報記録媒体を収納した収納ケースを示す図。
【図５】ラベルの表示切り替え方法を示す図。
【図６】収納ケースにおける給電端子の配置を示す図。
【図７】収納ケースの構成例を示す図。
【図８】情報記録媒体側に電圧供給源を設置した例を示す図。
【図９】記録再生方法の説明図。
【図１０】ラベル領域と記録情報領域の配置の説明図。
【図１１】収納ケースの構成例を示す図。
【図１２】収納ケースの構成例を示す図。
【図１３】複数のラベル層を選ぶ方法を示す図。
【図１４】ラベル表示の切り替えの他の例を示す図。
【図１５】収納ケースの開口部の例を示す図。
【図１６】収納ケースの開口部の例を示す図。
【図１７】情報記録媒体の透明電極と収納ケースの給電端子の配置の例を示す図。
【図１８】収納ケースの構成例を示す図。
【図１９】収納ケースの構成例を示す図。
【図２０】収納ケースの構成例を示す図。
【図２１】収納ケースのラベルの切り替え方法を示す図。
【符号の説明】
【００５５】
１１：基板
１２：第１の透明電極
１３：第１の還元型エレクトロクロミック層
１４：第１の固体電解質層
１５：第１の酸化型エレクトロクロミック層
１６：第２の透明電極
４１：ディスク
４２：収納ケース
４３：ラベル選択手段
４４：位置決め印
５１：ラベルボタン
５２：ラベル
５３：ラベルボタン
５４：ラベル
５５：ラベルボタン
５６：ラベル
６１：給電端子
７１：配線
７２：電圧供給手段
７３：電圧供給源
７４：ラベルボタン
７５：多層情報記録層
７６：電圧受電部
８１：多層情報記録媒体
８３：光ヘッド
８６：記録波形発生回路
８７：レーザ駆動回路
８８：８１６変調機
９１：記録情報領域
９２：ラベル領域
１２１：リモコン
１２２：受光部位
１３１：収納ケースの一部開口部
１４１：収納ケースの全面開口部
１６１：収納ケース側のラベル
１６２：収納ケースのラベル層の電極
【図１】
2007328872.tif 000003
【図２】
2007328872.tif 000004
【図３】
2007328872.tif 000005
【図４】
2007328872.tif 000006
【図５】
2007328872.tif 000007
【図６】
2007328872.tif 000008
【図７】
2007328872.tif 000009
【図８】
2007328872.tif 000010
【図９】
2007328872.tif 000011
【図１０】
2007328872.tif 000012
【図１１】
2007328872.tif 000013
【図１２】
2007328872.tif 000014
【図１３】
2007328872.tif 000015
【図１４】
2007328872.tif 000016
【図１５】
2007328872.tif 000017
【図１６】
2007328872.tif 000018
【図１７】
2007328872.tif 000019
【図１８】
2007328872.tif 000020
【図１９】
2007328872.tif 000021
【図２０】
2007328872.tif 000022
【図２１】
2007328872.tif 000023